(57)【要約】【課題】首が動いても芯材の間に溝が生じず、首になじみ、快眠を得られる枕とする。【解決手段】第１に、枕ケース１内を一対の傾斜縦仕切壁８、９と傾斜横仕切壁１０で区画を形成する。第２に、傾斜縦仕切壁８、９の首側端部より第１または第２頚椎位置付近までを切欠部１８、１９とする。第３に、区画には、以下の芯材が挿入される。左右の空間ａ、ｂに挿入されるユニット芯材Ａ、Ｂは、枕ケース１縦幅全長に及び、傾斜縦仕切壁８、９の傾斜角度に合う傾斜面８Ａ、９Ｂを有する。頭側中央空間ｄに挿入されるユニット芯材Ｄは、頭側端部より傾斜横仕切壁１０まで及び、首側中央空間ｃに挿入されるユニット芯材Ｃは、首側端部より傾斜横仕切壁１０まで及び、傾斜縦仕切壁８、９と左右のユニット芯材Ａ、Ｂの傾斜面に合う傾斜面８Ｃ、９Ｃを有し、切欠部１８、１９で首側左右端部が左右の芯材の上面を超えて覆う幅に形成される。【選択図】図１
2020127624.tif 000002
【特許請求の範囲】
【請求項１】
上面生地と下面生地の間に設けた複数の傾斜仕切壁により複数の区画が形成された枕ケース内に、該区画にあった形状にユニット化されたユニット芯材を挿入配置してなる枕であって、
枕ケースの長尺方向と直交する縦方向に、頭側より首側に向かって形成され、且つ、上方に向かって開くよう傾斜した一対の傾斜縦仕切壁を、頭側端部より始まり、枕使用者の第１または第２頚椎の位置付近までとして設けて、そこより首側端部までを切欠部とし、
該一対の傾斜縦仕切壁間の横方向に、枕使用者の頭側に向かって下降する傾斜横仕切壁を設けることにより、
前記傾斜縦仕切壁と傾斜横仕切壁により枕ケース内に複数の区画が形成されるものであって、
該区画に配置されるユニット芯材は、左右のユニット芯材と、頭側中央ユニット芯材と、首側中央ユニット芯材とでなり、
前記左右のユニット芯材は、前記一対の傾斜縦仕切壁で仕切られた枕ケース内の左右の空間に挿入される芯材であって、縦方向で枕ケース内の頭側端部より首側端部にまで及び、横方向の内側に前記傾斜縦仕切壁の傾斜角度に合う傾斜面を有するものであり、
前記頭側中央ユニット芯材は、前記傾斜縦仕切壁と傾斜横仕切壁で囲まれた頭側中央空間に挿入される芯材であって、縦方向で枕ケース内の頭側端部より前記傾斜横仕切壁まで及び、下面に向かう左右が前記傾斜縦仕切壁の傾斜面と合う傾斜面を有し、下面に向かう首側が前記傾斜横仕切壁の傾斜面と合う傾斜面を有するものであり、
前記首側中央ユニット芯材は、首側中央空間に挿入される芯材であって、縦方向で枕ケース内の首側端部より前記傾斜横仕切壁まで及び、下面に向かう左右が前記傾斜縦仕切壁の傾斜面及び左右のユニット芯材の傾斜面に合う傾斜面とされ、頭側上面が前記傾斜横仕切壁の傾斜面と合う傾斜面とされ、前記切欠部で首側左右端部が前記左右のユニット芯材の上面を超えて覆う幅に形成されたものであることを特徴とする傾斜仕切壁を有する枕。
【発明の詳細な説明】
【技術分野】
【０００１】
本発明は、枕ケース内部に傾斜仕切壁を設け、該傾斜仕切壁内にユニット芯材を挿入配置してなる枕に関するものである。詳しくは、首側中央ユニット芯材の首側左右端部が首側の左右のユニット芯材を覆い、首が動いてユニット芯材同士がズレ、芯材同士の溝が発生することをなくし、快適な睡眠をもとらす枕を提供することを主眼に開発されたものである。
【背景技術】
【０００２】
特許文献１に示されるように、本件特許出願人により開発された傾斜仕切壁を有する枕が既に開示されている。該枕は枕ケースの上面生地と下面生地の間で、枕ケースの長尺方向と直交する方向に、上方に向かって開くよう傾斜した一対の縦仕切壁を設けるとともに、該一対の縦仕切壁間に該縦仕切壁と直交する方向に、一方向に傾斜する横仕切壁を設けることにより、枕ケース内に複数の室を形成し、該室に芯材を充填したものである。
【０００３】
この傾斜仕切壁を有する枕での傾斜仕切壁の機能は、特許文献１の図３乃至図６に示すようなユニット芯材Ａ、Ｂ、Ｃ、Ｄを用いることでより有効に発揮するものであった。しかし、特許文献１の図１に示すように、上方に向かって開くように傾斜した一対の縦仕切壁９、１０は、頭側端部より首側端部まで連続して設けられており、首側端部付近で切欠した部分を設けていない。
【０００４】
このため、縦仕切壁９、１０により左右のユニット芯材２１、２３とユニット芯材２２とは完全に仕切られている。縦仕切壁９、１０の傾斜面の上で左右のユニット芯材２１、２３の上に位置するユニット芯材２２は、首が動くと縦仕切壁９、１０の上を滑り、左右のユニット芯材２１、２３とは分離してしまう。このことにより、左右のユニット芯材２１、２３と首が位置するところにあるユニット芯材２２との間に溝ができてしまい、快適な睡眠の得られないものであった。尚、背景技術の説明で用いた符号は特許文献１のものである。
【先行技術文献】
【特許文献】
【０００５】
【特許文献１】特許第４６３６４０２号特許公報
【発明の概要】
【発明が解決しようとする課題】
【０００６】
そこで本発明は、上方に向かって開くよう傾斜した一対の傾斜縦仕切壁を、首側の端部より枕使用者の第１または第２頚椎の位置付近までを切欠部とするとともに、該切欠部において首側中央ユニット芯材を、首側左右端部が左右のユニット芯材の上面を超えて覆う幅として、左右のユニット芯材と首側中央ユニット芯材とを、傾斜縦仕切壁を介さず重なり合わせることにより、首が動いても首側中央ユニット芯材と左右のユニット芯材との間に溝が生じることがなく、しっかりと首になじむことにより、快眠を得られる枕を提供することを目的とする。
【課題を解決するための手段】
【０００７】
上記課題を解決するために、本発明は傾斜仕切壁を有する枕を次のように構成する。
第１に、上面生地と下面生地の間に設けた複数の傾斜仕切壁により複数の区画が形成された枕ケース内に、該区画にあった形状にユニット化されたユニット芯材を挿入配置してなる枕である。
第２に、枕ケースの長尺方向と直交する縦方向に、頭側より首側に向かって形成され、且つ、上方に向かって開くよう傾斜した一対の傾斜縦仕切壁を、頭側端部より始まり、枕使用者の第１または第２頚椎の位置付近までとして設けて、そこより首側端部までを切欠部とする。
第３に、該一対の傾斜縦仕切壁間の横方向に、枕使用者の頭側に向かって下降する傾斜横仕切壁を設ける。
第４に、前記傾斜縦仕切壁と傾斜横仕切壁により枕ケース内に複数の区画が形成される。
第５に、該区画に配置されるユニット芯材は、左右のユニット芯材と、頭側中央ユニット芯材と、首側中央ユニット芯材とでなる。
第６に、前記左右のユニット芯材は、前記一対の傾斜縦仕切壁で仕切られた枕ケース内の左右の空間に挿入される芯材であって、縦方向で枕ケース内の頭側端部より首側端部にまで及び、横方向の内側に前記傾斜縦仕切壁の傾斜角度に合う傾斜面を有する。
第７に、前記頭側中央ユニット芯材は、前記傾斜縦仕切壁と傾斜横仕切壁で囲まれた頭側中央空間に挿入される芯材であって、縦方向で枕ケース内の頭側端部より前記傾斜横仕切壁まで及び、下面に向かう左右が前記傾斜縦仕切壁の傾斜面と合う傾斜面を有し、下面に向かう首側が前記傾斜横仕切壁の傾斜面と合う傾斜面を有する。
第８に、前記首側中央ユニット芯材は、首側中央空間に挿入される芯材であって、縦方向で枕ケース内の首側端部より前記傾斜横仕切壁まで及び、下面に向かう左右が前記傾斜縦仕切壁の傾斜面及び左右のユニット芯材の傾斜面に合う傾斜面とされ、頭側上面が前記傾斜横仕切壁の傾斜面と合う傾斜面とされ、前記切欠部で首側左右端部が前記左右のユニット芯材の上面を超えて覆う幅に形成される。
【発明の効果】
【０００８】
本発明は、上方に向かって開くよう傾斜した一対の傾斜縦仕切壁を、首側の端部より枕使用者の第１または第２頚椎の位置付近までを切欠部として設けるとともに、該切欠部において首側中央ユニット芯材を、首側左右端部が左右のユニット芯材の上面を超えて覆う幅として、左右のユニット芯材と首側中央ユニット芯材とを、傾斜縦仕切壁を介さず重なり合わせることにより、首が動いても首側中央ユニット芯材と左右のユニット芯材との間に溝が生じることがなく、しっかりと首になじむことにより、快眠を得られる枕を提供することができた。
【図面の簡単な説明】
【０００９】
【図１】一実施例を示す分解説明図。
【図２】枕ケース内の透視参考斜視図。
【図３】ユニット芯材を示す参考斜視図。
【図４】枕ケース内にユニット芯材を挿入配置した状態を示す参考平面図。
【発明を実施するための形態】
【００１０】
以下、実施の形態について図面に示す実施例とともに説明する。
図１は、本発明の一実施例を示す分解説明図であり、実施例に係る傾斜仕切壁を有する枕は、内側に傾斜仕切壁が縫合されている枕ケース１（図２に示される）と、枕ケース１内に挿入されるユニット芯材Ａ、Ｂ、Ｃ、Ｄ（図３に示される）とでなる。 実施例での傾斜仕切壁には、図２の引き出し部分に示されるように、傾斜縦仕切壁８、９と傾斜横仕切壁１０とが存在する。
【００１１】
傾斜仕切壁を有する枕は、使用の際には、図１での右上方が頭側となり、左下方が首側となる。図４では、上方が頭側であり、下方が首側である。枕ケース１は、実施例では布製の立体縫製のもので、図２の枕ケース１内の透視参考斜視図に示されるように、前面もカバーする上面生地３、下面生地４、背面生地５、左右の側面生地６、７と、枕ケース１の内側に縫合された傾斜縦仕切壁８、９と傾斜横仕切壁１０とからなる。尚、首側の前面生地に相当する部分は、前面生地を別個設けるのではなく、上面生地３を前面生地分長くして前面生地の役割をも持たせ、上面生地３と別個の前面生地の縫合からくる首への違和感のないものとしている。
【００１２】
傾斜縦仕切壁８、９は、枕ケース１内の縦方向、すなわち、枕ケース１の長尺方向（横方向）と直交する方向に設けられた左右一対の仕切であり、枕ケース１内の中央付近に存在する。 左側の傾斜縦仕切壁８と右側の傾斜縦仕切壁９とは、枕ケース１の上面生地３と下面生地４の間で、上方（上面生地３方向）に向かって開くよう傾斜した一対の仕切である。この左右の傾斜縦仕切壁８、９は、枕ケース１内で頭側から首側に向かって形成される。
【００１３】
左右の傾斜縦仕切壁８、９の頭側端部は、枕ケース１内の背面生地５付近より始まり、首側に向かって形成されるが、首側端部は、枕ケース１の前面まで形成されるものではなく、枕使用者の第１または第２頚椎のあたる位置付近までとして設けられ、そこより首側端部までは切欠部１８、１９とされている。すなわち、左右の傾斜縦仕切壁８、９は、枕ケース１の頭側端部から首側端部までの全長に及ぶものではない。図２に示された左右の傾斜縦仕切壁８、９での点線部分が切欠部１８、１９である。
【００１４】
傾斜縦仕切壁８、９の各々の上端辺は上面生地３に縫合され、各々の下端辺は下面生地４に縫合されている。該仕切壁８、９は縫合の他、接着剤等による接合により取り付けたものであってもよい。 左右の傾斜縦仕切壁８、９は下面生地４に向かって、各々４５度の斜度の傾斜面が形成され、下端辺で下面生地４に縫合されている。傾斜縦仕切壁８、９は、上方に向かって開いている。この傾斜角は４５度が好ましいが、芯材の素材の特性に合わせて、３０度より６０度の範囲内であってもよい。
【００１５】
左右の傾斜縦仕切壁８、９間の横方向に、枕使用者の頭方向に向かって下降する傾斜横仕切壁１０が設けられている。この傾斜横仕切壁１０の傾斜角も４５度であることが好ましい。傾斜横仕切壁１０は、上端辺を傾斜縦仕切壁８、９の首側端部の位置の上面生地３に縫合し、下端辺を下面生地４に縫合し、左右の側辺を傾斜縦仕切壁８、９に縫合してある。ここにおいても縫合の他、接着剤等による接合により取り付けたものであってもよい。
【００１６】
左右の傾斜縦仕切壁８、９と、その間に設けられた傾斜横仕切壁１０という３枚の仕切壁により、枕ケース１内に、左空間ａと右空間ｂと首側中央空間ｃと頭側中央空間ｄとの４区画が形成されている。４区画が形成された枕ケース１内に、該区画にあった形状にユニット化されたユニット芯材を挿入配置してなる枕である。
【００１７】
頭側の背面生地５及び首側前面の下面生地４には、ファスナ２０、２１を有する開口部が設けられている。頭側の背面生地５に設けられたファスナ２０を有する開口部は、ユニット芯材Ａ、Ｂ、Ｄを枕ケース１内に形成した左空間ａと右空間ｂと頭側中央空間ｄへ出し入れするためのものであり、首側前面の下面生地４に設けられたファスナ２１を有する開口部は、ユニット芯材Ｃを、枕ケース１内に形成した首側中央空間ｃへ出し入れするためのものである。
【００１８】
ユニット芯材Ａ、Ｂ、Ｃ、Ｄは、布製の袋に芯材を詰めたものである。芯材には、樹脂カットパイプ、樹脂チップ、羽毛、絹綿、檜等の木材チップ、クッション材、そば殻、茶葉等のチップが用いられる。
【００１９】
ユニット芯材Ａ、Ｂ、Ｃ、Ｄは、図３のユニット芯材を示す参考斜視図に示されるように、各々が挿入される４区画である左空間ａと右空間ｂと首側中央空間ｃと頭側中央空間ｄとに適合する形状に形成されている。尚、図３でのユニット芯材Ａ、Ｂ、Ｃ、Ｄは、一つのものとして独立形成されたものであるが、これに限定されるものではない。複数に小分けされたユニット芯材を組み合わせて、区画にあった形状に形成されたものでもよい。
【００２０】
左のユニット芯材Ａは、枕ケース１内で左の傾斜縦仕切壁８で仕切られた左空間ａに挿入される芯材である。幅は、縦方向で枕ケース１内の頭側端部より首側端部にまで及び、横方向で枕ケース１内の側面生地６より傾斜縦仕切壁８にまで及ぶ。左のユニット芯材Ａの横方向の内側、図３中の右側側面には、傾斜縦仕切壁８の傾斜角度に合う傾斜面８Ａが形成されている。右のユニット芯材Ｂは、枕ケース１内で右の傾斜縦仕切壁９で仕切られた右の空間ｂに挿入される芯材である。幅は、縦方向で枕ケース１内の頭側端部より首側端部にまで及び、横方向で枕ケース１内の側面生地７より傾斜縦仕切壁９にまで及ぶ。右のユニット芯材Ｂの横方向の内側、図３中の左側側面には、傾斜縦仕切壁９の傾斜角度に合う傾斜面９Ｂが形成されている。尚、図３中、左右のユニット芯材Ａ、Ｂ内に設けられている仕切り２８、２９は、左右のユニット芯材Ａ、Ｂ内に挿入される芯材の偏りを防止するためのものである。
【００２１】
頭側中央ユニット芯材Ｄは、傾斜縦仕切壁８、９と傾斜横仕切壁１０で囲まれた頭側中央空間ｄに挿入される芯材である。幅は、縦方向で枕ケース１内の頭側端部より傾斜横仕切壁１０まで及び、横方向で傾斜縦仕切壁８より傾斜縦仕切壁９まで及ぶ。横方向下面に向かう左右には傾斜縦仕切壁８、９の傾斜面と合う傾斜面８Ｄ、９Ｄが形成され、下面に向かう首側には傾斜横仕切壁１０の傾斜面と合う傾斜面１０Ｄが形成されている。
【００２２】
首側中央ユニット芯材Ｃは、首側中央空間ｃに挿入される芯材である。幅は、縦方向で枕ケース１内の首側端部より傾斜横仕切壁１０まで及ぶ。横方向では、頭側は左右の傾斜縦仕切壁８より傾斜縦仕切壁９にまで及び、首側は下部では左のユニット芯材Ａの傾斜面８Ａより右のユニット芯材Ｂの傾斜面９Ｂにまで及び、首側の上部では、傾斜縦仕切壁８、９の切欠部１８、１９の上部を越え、左右のユニット芯材Ａ、Ｂの上面の一部を覆う幅とされている。
【００２３】
首側中央ユニット芯材Ｃの形状は、下面に向かう左右が傾斜縦仕切壁８、９の傾斜面及び左右のユニット芯材Ａ、Ｂの傾斜面に合う傾斜面８Ｃ、９Ｃとされ、頭側上面が傾斜横仕切壁１０の傾斜面と合う傾斜面１０Ｃとされ、切欠部１８、１９上部で首側左右端部に左右のユニット芯材Ａ、Ｂの上面を超えて左右に覆い部１１Ｃ、１２Ｃが形成されたものである。
【００２４】
以下、図１及び図４に従って、枕ケース１へのユニット芯材Ａ、Ｂ、Ｃ、Ｄの挿入配置について説明する。先ず、背面生地５に設けられたファスナ２０を開けて、枕ケース１内の左空間ａに、左のユニット芯材Ａを挿入配置する。次に、右空間ｂに、右のユニット芯材Ｂを挿入配置する。続いて、頭側中央空間ｄに、頭側中央ユニット芯材Ｄを挿入配置する。ファスナ２０を閉めて、最後に、下面生地４に設けられたファスナ２１を開けて、首側中央空間ｃに、首側中央ユニット芯材Ｃを挿入し、首側中央ユニット芯材Ｃの首側左右端の覆い部１１Ｃ、１２Ｃを左右のユニット芯材Ａ、Ｂの上面を超えて配置し、ファスナ２１を閉めてユニット芯材Ａ、Ｂ、Ｃ、Ｄの挿入配置が完了する。
【００２５】
このように、各ユニット芯材Ａ、Ｂ、Ｃ、Ｄが適合した各空間ａ、ｂ、ｃ、ｄに挿入配置され、首側中央ユニット芯材Ｃの首側左右端の覆い部１１Ｃ、１２Ｃが左右のユニット芯材Ａ、Ｂの上面を超えて覆うことにより、首側中央ユニット芯材Ｃは、傾斜縦仕切壁８、９を介さず左右のユニット芯材Ａ、Ｂと重なり合うこととなり、首が動いても首側中央ユニット芯材Ｃと左右のユニット芯材Ａ、Ｂとの間に溝が生じることがなく、しっかりと首になじむことにより、快眠を得られる枕となる。
【符号の説明】
【００２６】
１・・・・・・・・枕ケース
３・・・・・・・・上面生地
４・・・・・・・・下面生地
５・・・・・・・・・・・・背面生地
６、７・・・・・・・・・・側面生地
８、９・・・・・・・・・・傾斜縦仕切壁
１０・・・・・・・・・・・傾斜横仕切壁
１８、１９・・・・・・・・切欠部
２０、２１・・・・・・・・ファスナ
２８、２９・・・・・・・・仕切り
８Ａ、９Ｂ・・・・・・・・傾斜面
８Ｃ、９Ｃ、１０Ｃ・・・・傾斜面
８Ｄ、９Ｄ、１０Ｄ・・・・傾斜面
１１Ｃ、１２Ｃ・・・・・・覆い部
ａ・・・・・・・・左空間
ｂ・・・・・・・・右空間
ｃ・・・・・・・・首側中央空間
ｄ・・・・・・・・頭側中央空間
Ａ・・・・・・・・左のユニット芯材
Ｂ・・・・・・・・右のユニット芯材
Ｃ・・・・・・・・首側中央ユニット芯材
Ｄ・・・・・・・・頭側中央ユニット芯材
【図１】
2020127624.tif 000003
【図２】
2020127624.tif 000004
【図３】
2020127624.tif 000005
【図４】
2020127624.tif 000006